(57)【要約】【課題】仮設テント内で冷風または温風を循環させてダイオキシン類が付着する熱交換部を高圧洗浄できるとともに、水に弱い外部ユニットを高圧洗浄水から保護し、運搬、設置、空間の密閉確保、および撤去の各作業が簡単で速やかに行え、かつ内部ユニットの配置場所を簡単に調整できる仮設テント用冷暖房装置を提供する。【解決手段】圧縮部２ａおよび外部熱交換部２ｂを備える外部ユニット２と、膨張部３ａ、内部熱交換部３ｂ、吸気部３ｃおよび送風部３ｄを備える内部ユニット３と、両ユニット内をつないで熱媒体を循環させる循環パイプ４と、両ユニットを隔てて載置する載置板５と、循環パイプ４が密閉状態で貫通されているとともに、仮設テントＳに密閉状態で連結されるように形成された周縁部を備えた仕切板６とを備え、送風部から仮設テント内に冷風または温風を供給する。【選択図】　　　図１
2004053158.tif 000002
【特許請求の範囲】
【請求項１】
仮設テントの外側に配置される外部ユニットと、仮設テントの内側に配置される内部ユニットとを有するとともに、それら両ユニット内をつないで熱媒体を循環させる循環パイプを備えており、前記外部ユニットは前記熱媒体を圧縮する圧縮部、および前記熱媒体と仮設テント外の空気との熱交換を行う外部熱交換部を備え、前記内部ユニットは熱媒体を膨張させる膨張部、前記熱媒体と仮設テント内の空気との熱交換を行う内部熱交換部、空気を吸入する吸気部、および熱交換後の空気を送出する送風部を備えており、前記送風部から仮設テント内に冷風または温風を供給する仮設テント用冷暖房装置であって、
前記外部ユニットおよび前記内部ユニットは載置板上に所定間隔を隔てて載置されており、それら両ユニット間には仕切板が配置されており、この仕切板には前記循環パイプが密閉状態で貫通させる貫通孔が形成されているとともに、前記仮設テントのシートを密閉状態に連結させるためのシート連結用周縁部が形成されていることを特徴とする仮設テント用冷暖房装置。
【請求項２】
請求項１において、前記循環パイプは伸縮自在に形成されているとともに、この循環パイプの伸縮に合わせて前記内部ユニットが載置板上を移動するようになっていることを特徴とする仮設テント用冷暖房装置。
【請求項３】
請求項１または請求項２において、前記内部ユニットは着脱自在のカバーに覆われており、内部熱交換部は高圧洗浄に耐えられる強度の熱交換パイプによって形成されていることを特徴とする仮設テント用冷暖房装置。
【請求項４】
請求項３において、前記熱交換パイプは、直径が１０ｍｍ以上であって、肉厚が１ｍｍ以上に形成されていることを特徴とする仮設テント用冷暖房装置。
【発明の詳細な説明】
【０００１】
【発明の属する技術分野】
本発明は、仮設テント用冷暖房装置に係り、特に、焼却炉の解体作業等のように外部にダイオキシン等の有毒物質を拡散しないように仮設テントで囲われた密閉空間で使用されるのに好適な仮設テント用冷暖房装置に関する。
【０００２】
【従来の技術】
従来から廃棄物焼却施設の耐用期間を過ぎると焼却炉等が解体されて一般の産業廃棄物として廃棄処分されていた。しかし、近年、廃棄物焼却施設におけるダイオキシン類の発生が社会問題化されるに伴って、平成１３年４月に厚生労働省から「廃棄物焼却施設内作業におけるダイオキシン類暴露防止対策要綱」が施行され、廃棄物焼却施設の解体作業に関する管理体制が強化されている。
【０００３】
前記ダイオキシン類の暴露防止対策によれば、廃棄物焼却施設の解体作業を行う場合、ダイオキシン類の汚染拡散を防止するため、ダイオキシン類が基準値以上付着した構造物や設備を解体作業場から一切持ち出すことが禁止されている。このため、解体作業の際には、その準備から実際の解体作業、後処理に至るまで様々な対策が採られている。例えば、（ａ）作業者の化学防護服等に付着する汚染物の除去および持ち出しを防止するためのエアーシャワー等を備えた汚染除去施設を設置すること、（ｂ）粉塵飛散防止および廃棄処理のために三重のエアフィルターを備えた浄化排気装置を設置すること、（ｃ）ダイオキシン類の汚染拡散を防止するために煙突や灰バンカーを養生し、焼却炉全体を覆いで囲って隙間を目張りすること、（ｄ）洗浄水流出による土壌の汚染防止のための防水提を設置すること、（ｅ）洗浄で発生する洗浄排水の処理装置として凝集沈殿装置を設置すること、（ｆ）発生した汚染物を密閉容器に入れセメント固化するための汚染物処理装置を設置すること等が行われる。そして、最終的にダイオキシン類の濃度が測定されて基準値以下である場合にのみ搬出が認められるようになっている。
【０００４】
このようにダイオキシン類に対する暴露防止対策が強化されているため、解体作業に持ち込まれる機械類や設備も同様に搬出の際には厳しい検査が行われる。
【０００５】
本件発明者は、特許２６１８３４３号や特許３０３２９７４号等に記載した仮設上屋の技術により前述した産業物焼却施設全体を覆うための仮設テントに適用することを提案しており、実施化を進めている。
【０００６】
しかし、前述したように焼却施設の解体作業には厳格なダイオキシン類暴露防止対策を採らなければならないため、解決すべき問題がいくつか存在している。その一つに冷房施設の問題がある。つまり、前述したように空気中にダイオキシン類が飛散してしまうのを防止するために、焼却施設全体が仮設テントによって覆われる。このとき、仮設テントの隙間には目張りが施され、換気口には三重のフィルターが設けられ、さらに仮設テント内は負圧に維持されており内部の空気が外部へ漏れないようにされている。
【０００７】
ところが、このような密閉空間は、熱がこもりやすく仮設テント内の気温が上昇してしまうという問題が生じる。特に夏場の作業では一層気温が上昇して耐え難く、水を使用する高圧洗浄作業が行われると湿度も相当上昇する。さらに作業員は化学防護服を着用して重労働を行っているため、熱射病や脱水症状を引き起こすおそれがある。したがって、このような過酷な作業環境を緩和するために冷房装置の導入が必要不可欠であり、現実的な問題である。
【０００８】
従来、仮設テントのような大型建物の冷房に使用されている冷房装置としては、例えば、図６に示すような仮設型冷房機や図７に示すような４ｔ車搭載型の大型冷房車が挙げられる。これらの仮設型冷房機や大型冷房車は、体育館や催し物会場等での使用に好適であり、ディーゼルエンジン式あるいは電動式の駆動源により駆動され、吸入口から吸入した空気を熱交換部で熱交換し、送風ダクトから建物内へ冷風を送り込むようになっている。
【０００９】
【発明が解決しようとする課題】
しかしながら、従来の仮設型冷房機や大型冷房車によれば、吸入口から外部の空気を吸入して送風ダクトから冷風を送気する構造であるため、汚染空気が外部に漏れないように負圧に保たれている仮設テント内で使用することは現実的に不可能である。もし実際に使用するとすれば、負圧の調整がかなり困難であるし、大量に送り込まれる空気を仮設テント内から浄化して排出するための巨大な浄化排気装置を設置しなければならない。
【００１０】
一方、一般家庭で使用されているような室内循環型の冷房機を大型化して適用することも考えられる。しかし、従来の循環型冷房機は、取り付け作業に手間と時間がかかり、速やかに設置と撤去を行うべき仮設テントにおいては使い勝手が悪い。特に、焼却施設の解体現場で使用される仮設テントには、１５０馬力程度の駆動力を有する冷房装置が必要であると考えられ、このような極めて大型の冷房装置を密閉度を保持できるように迅速に設置し、撤去も迅速に行うことは、従来の冷房機では無理である。
【００１１】
さらに、仮設テント内で使用された冷房機は、ダイオキシン類に汚染されているため高圧洗浄を行わなければならないが、当然ながら、従来の冷房機にはそのような高圧洗浄を想定したものは存在しないため、熱交換用のブレードや銅管が高圧に耐えられずに破損してしまうという問題がある。
【００１２】
本発明は、このような問題点を解決するためになされたものであって、仮設テント内で冷風または温風を循環させてダイオキシン類が付着する熱交換部を高圧洗浄できるとともに、水に弱い外部ユニットを高圧洗浄水から保護し、運搬、設置、空間の密閉確保、および撤去の各作業が簡単で速やかに行え、かつ内部ユニットの配置場所を簡単に調整できる仮設テント用冷暖房装置を提供することを目的としている。
【００１３】
【課題を解決するための手段】
本発明に係る仮設テント用冷暖房装置の特徴は、仮設テントの外側に配置される外部ユニットと、仮設テントの内側に配置される内部ユニットとを有するとともに、それら両ユニット内をつないで熱媒体を循環させる循環パイプを備えており、前記外部ユニットは前記熱媒体を圧縮する圧縮部、および前記熱媒体と仮設テント外の空気との熱交換を行う外部熱交換部を備え、前記内部ユニットは熱媒体を膨張させる膨張部、前記熱媒体と仮設テント内の空気との熱交換を行う内部熱交換部、空気を吸入する吸気部、および熱交換後の空気を送出する送風部を備えており、前記送風部から仮設テント内に冷風または温風を供給する仮設テント用冷暖房装置であって、前記外部ユニットおよび前記内部ユニットは載置板上に所定間隔を隔てて載置されており、それら両ユニット間には仕切板が配置されており、この仕切板には前記循環パイプが密閉状態で貫通させる貫通孔が形成されているとともに、前記仮設テントのシートを密閉状態に連結させるためのシート連結用周縁部が形成されている点にある。
【００１４】
そして、このような構成を採用したことにより、外部ユニットを仮設テントの外側に配置し、内部ユニットを仮設テントの内側に配置して仮設テント内を循環方式により冷暖房を行うため、仮設テント内の空気を外部に排気する必要がなく、冷暖房用の特別な空気浄化装置を別途必要としない。また、前記外部ユニットおよび前記内部ユニットを前記循環パイプにより連通した状態で同一の載置板に一体的に載置するので、別途配管工事も必要なく、運搬、設置および撤去作業が容易かつ速やかに行えるという作用を有する。さらに、前記循環パイプはすでに仕切板によって密閉状態に貫通されているとともに、仕切板には仮設テントに連結可能な周縁部がすでに形成されているため、速やかに仮設テントに配備できて施工期間を短縮できる。
【００１５】
また、本発明において、前記循環パイプは伸縮自在に形成されているとともに、この循環パイプの伸縮に合わせて前記内部ユニットが載置板上を移動するようになっていることが好ましい。そして、このような構成を採用したことにより、前記循環パイプは前記内部ユニットの移動に追従して伸縮するので、好みの場所を選んで内部ユニットを移動させれば冷風または温風を送風する場所を任意に調整することができて便利である。
【００１６】
さらに、本発明において、前記内部ユニットは着脱自在のカバーに覆われており、内部熱交換部は高圧洗浄に耐えられる強度の熱交換パイプによって形成されていることが好ましい。そして、このような構成を採用したことにより、焼却施設の解体作業終了後にダイオキシン類に汚染された内部ユニットを洗浄する場合、そのカバーを取り外し、特に破損をおそれることなく高圧洗浄することができるため洗浄作業を簡単かつ速やかに行うことができる。
【００１７】
また、本発明において、前記熱交換パイプは、直径が１０ｍｍ以上であって、肉厚が１ｍｍ以上に形成されていることが好ましい。そして、このような構成を採用したことにより、適度な熱交換効率を有するとともに、高圧洗浄に耐えられる作用を有する。
【００１８】
【発明の実施の形態】
以下、本発明に係る仮設テント用冷暖房装置１の実施形態について図面を参照しつつ説明する。なお、本実施形態の仮設テント用冷暖房装置１は、冷房および暖房の両方の機能を備えているが基本構造に差異はないため、以下の説明においては、主に冷房を行う冷凍サイクル時の動作について説明する。
【００１９】
図１は、本実施形態の仮設テント用冷暖房装置１を示す斜視図であり、図２は、廃棄物焼却施設１０を密閉状態に囲った仮設テントＳ内に本実施形態の仮設テント用冷暖房装置１を配置した場合の概略模式図である。仮設テントＳは、ダイオキシン類が外部に漏れないようにするため、隙間が目張りされているとともに内部が負圧に保持されている。
【００２０】
図１および図２に示すように、本実施形態の仮設テント用冷暖房装置１は、仮設テントＳの外側に配置される外部ユニット２と、仮設テントＳの内側に配置される内部ユニット３とが、厚板状の載置板５上に安定載置されている。また、外部ユニット２および内部ユニット３には、フロンガスやアンモニアガス等の熱媒体を循環させるための循環パイプ４が連通されている。外部ユニット２と内部ユニット３との間には、仕切板６が配置されており、この仕切板６には前記循環パイプ４が密閉状態で貫通される貫通孔６ａが形成されている。この貫通孔６ａの径は循環パイプ４を嵌合できる大きさに形成するようにしてもよいし、大きめの径に形成しておきその貫通孔６ａの内側にパッキン等を嵌め込んで前記循環パイプ４を保持するようにしてもよい。外部ユニット２および内部ユニット３は、着脱自在のカバー７に覆われており、特に、内部ユニット３は高圧洗浄し易くするために、着脱が容易な構造とされている。例えば、ビスの着脱でカバー７を取り外せるようにしたり、あるいはカバー７の下端辺部を支点に回動できるように軸支しておき、カバー７を閉じているときにはバネ等の付勢力により保持するようにしてもよい。また、カバー７の素材は軽量で高圧洗浄に耐えられる強度のものがよい。
【００２１】
外部ユニット２は、循環パイプ４内を循環する熱媒体を圧縮する圧縮部２ａと、熱媒体と仮設テントＳ外の空気との熱交換を行う外部熱交換部２ｂとを備えている。また、内部ユニット３は、熱媒体を膨張させる膨張部３ａと、熱媒体と仮設テントＳ内の空気との熱交換を行う内部熱交換部３ｂと、仮設テントＳ内の空気を吸気する吸気部３ｃと、仮設テントＳ内に空気を送風する送風部３ｄとを備えている。圧縮部２ａ、外部熱交換部２ｂ、膨張部３ａ、および内部熱交換部３ｂは、循環パイプ４によって連通されている。また、載置板５には、内部ユニット３の配置位置を移動調整するためのユニット移動用レール５ｒおよびスライド台座５ｓが設けられている。
【００２２】
ここで、まず本実施形態の外部ユニット２および内部ユニット３の各構成について説明する。図３は、本実施形態の仮設テント用冷暖房装置１の概略構成を示すブロック図である。
【００２３】
図３に示すように、外部ユニット２の圧縮部２ａは、循環パイプ４内を流れる熱媒体を圧縮するようになっており、圧縮された熱媒体は高温化される。高温にされた熱媒体は圧縮部２ａから循環パイプ４を通って外部熱交換部２ｂに送られる。外部熱交換部２ｂは、外気との熱交換により熱媒体から熱を奪って冷却するものである。このため、外部熱交換部２ｂはフィン型、チューブ型、スパイラル型等の表面積が拡大される形状に形成されており、熱交換効率が高められている。また、外部ユニット２には、電源部２ｃとしてディーゼルエンジンまたは電力供給モータが備えられており、電源確保が困難な作業現場においても使用できるようになっている。前記電源部２ｃには、載置板５内を介して内部ユニット３にも電力が供給されるようになっている。
【００２４】
そして、外部熱交換部２ｂで冷却された熱媒体は、循環パイプ４を通って内部ユニット３の膨張部３ａへと送られる。この膨張部３ａでは、高圧の熱媒体が膨張弁などによって膨張されて減圧される。これにより熱媒体はさらに低温化される。なお、膨張部３ａは、外部熱交換部２ｂから内部熱交換部３ｂへ循環する熱媒体の流量を適正に調節できるようになっている。
【００２５】
また、膨張部３ａで減圧低温化された熱媒体は、内部熱交換部３ｂに送られる。この内部熱交換部３ｂは、吸気部３ｃから吸い込まれた空気と、低温化された熱媒体との間で熱交換を行い、吸入した空気を冷却する。そして、冷却された空気が送風部３ｄから順次送出される。これらの空気の流れは図示しない環流ファンによって行われる。
【００２６】
また、前記内部熱交換部３ｂは、高圧洗浄に耐え得る強度の熱交換パイプにより形成されているとともに、パイプの総表面積がより大きくなるように設計されている。これにより、空気との熱交換効率を確保しつつ破損しやすいブレード等を無くして高圧洗浄できるようになっている。例えば、本実施形態では、熱交換効率と強度とのバランスを考慮して、少なくとも熱交換パイプの直径が１０ｍｍ以上、肉厚が１ｍｍ以上に形成されており、より強度および熱交換効率の良きバランスを考慮すると、直径を２０ｍｍ以上、肉厚を１．２ｍｍ以上に形成することが好ましい。これらは、熱交換パイプの材料によっても影響し、銅管よりもステンレス管の方が強度が高いため、直径を小さく、肉厚を薄くすることができる。
【００２７】
そして、内部熱交換部３ｂにおいて熱交換を終えた熱媒体は、循環パイプ４を通って再び外部ユニット２の圧縮部２ａへと流入する。そして、上述した冷凍サイクルを繰り返すことにより、負圧に保持されている仮設テントＳ内の気温を低下するようになっている。なお、冬季における作業等で暖房にしたい場合には、循環パイプ内を流れる熱媒体の循環方向を冷房の場合と逆にすればよい。
【００２８】
つぎに、本実施形態における内部ユニット３の配置位置を調整する構造について説明する。
【００２９】
本実施形態における循環パイプ４は、仕切板６と内部ユニット３との間を蛇腹構造や多筒構造等の伸縮自在な構造に形成されている。そして、循環パイプ４は、熱媒体の吸熱や放熱によって高温あるいは低温になることを想定し、温度変化に強い特性を有する材料により形成することが好ましい。これにより極低温や高温下における破損や変形を防止するようになっている。
【００３０】
また、図１および図２に示すように、載置板５には、内部ユニット３を載せる部分に一対のユニット移動用レール５ｒが形成されているとともに、このユニット移動用レール５ｒに噛み合う溝（図示せず）を備えた平板状のスライド台座５ｓが配置されている。このスライド台座５ｓは前記ユニット移動用レール５ｒに沿ってスライドするようになっている。そして、内部ユニット３は前記スライド台座５ｓ上に固定されており、載置板５上をユニット移動用レール部５ｒに沿って移動できるようになっている。これにより冷風または温風を送出する内部ユニット３の位置を適度に調整することができる。なお、図示しないが、スライド台座５ｓには、内部ユニット３を所望の位置で固定するためのストッパーが設けられている。また、必要に応じて外部ユニット２側の載置板５上にもユニット移動用レール５ｒを形成するとともにスライド台座５ｓを配置し、さらに循環パイプ４を伸縮自在に形成して、前記外部ユニット２が移動できるようにしてもよい。
【００３１】
また、載置板５の各四隅には、鉄鋼ロープ等を引っ掛けられるフック等の係合部材８が取り付けられており、クレーン等により吊り上げて所定位置に配置される。一方、本実施形態における仕切板６は、載置板５と一体的に形成されているが、それぞれ別体として形成し結合させてもよい。
【００３２】
また、仕切板６の周縁部６ｂは、仮設テントＳのシート１２と簡単に連結されて内部を密閉できる構造に形成されている。本実施形態では、シート取付具１３によってシート１２を仕切板６の周縁部６ｂに連結させるようになっている。図４はシート取付具１３を使用して仕切板６にシート１２を連結する動作を示す斜視図であり、図５はシート取付具１３による連結前後の状態を示す説明図である。具体的には、シート取付具１３は、仕切板６の周縁部６ｂでシート１２を狭持する狭持部１４、およびその狭持状態を保持するためのスプリング係合部１５を有し、回動中心となる蝶着部１６を支点に相対回動自在な一対の挟み片から構成されている。そして、仕切板６の周縁部６ｂは、シート取付具１３の狭持部１４の湾曲形状に合致できる形状に形成されている。図４および図５に示すように、仕切板６にシート１２を連結する場合、仕切板６の周縁部６ｂにシート１２の縁部近傍を巻き付けてその上からシート取付具１３により狭持するようになっている。この状態において、スプリング係合部１５にジグザグスプリング１７を嵌め込んで狭持状態を保持させる。これにより、仮設テントＳのシート１２が仕切板６の周縁部６ｂに密閉状態で連結される。
【００３３】
以上説明した本発明の実施形態によれば、載置板５上に外部ユニットおよび内部ユニットが固定されており、係合部材８によってクレーンで持ち上げて大型トラックやトレーラー等に積載し分解することなく一体的に運搬し設置することができる。したがって、技術者による組み立てや配管等の作業を省略することができ、特に焼却施設解体用の仮設テントに用いる場合には速やかに設置および撤去を進められて好適である。また、仕切板６はその周縁部に仮設テントのシート１２を巻き付けた状態で、ジグザグスプリング１７が嵌め込まれシート取付具１３によって連結するようになっているため、前記仕切板６とシート１２とを簡単に気密保持できる状態に結合できる。
【００３４】
また、内部ユニット３は、循環用パイプ４を伸縮させてユニット移動用レール５ｒに沿って移動させることにより位置を調整することができるため、冷房性能を考慮して吸気部３ｃや送風部３ｄの位置調整を行ったり、現場に載置されている他の装置との位置関係に応じて配置場所を適宜移動することができる。
【００３５】
そして、焼却施設の解体作業終了後には、内部ユニット３のカバー７を容易に取り外すことができるし、内部熱交換部３ｂを高圧洗浄しても破損することがないため、迅速かつ確実にダイオキシン類を洗い落とすことができる。
【００３６】
したがって、密閉された仮設テントＳ内であっても冷房下あるいは暖房下で焼却施設等の解体作業が進められ、真夏の暑い時期や真冬の寒い時期における作業員の負担を軽減できる。
【００３７】
なお、本発明の実施形態の各構成は前述したものに限るものではなく、適宜変更することができる。
【００３８】
【発明の効果】
以上説明したように、本発明によれば、焼却施設解等を覆った仮設テント内で冷風または温風を循環させることができるとともに、作業終了後にダイオキシン類が付着した熱交換部を高圧洗浄できる。このとき、水に弱い外部ユニットは仮設テント外に配置しているため高圧洗浄水から保護できる。また、仮設テント用冷暖房装置の運搬や設置、撤去の各作業を簡単かつ速やかに行えるし、仮設テント内部の密閉状態を確保することができる。さらに、内部ユニットの配置場所を簡単に調整することができる。
【図面の簡単な説明】
【図１】本発明に係る仮設テント用冷暖房装置の実施形態を示す斜視図である。
【図２】図１に示す仮設テント用冷暖房装置を密閉された仮設テントに適用した際の概略模式図である。
【図３】本実施形態の仮設テント用冷暖房装置の概略構成を示すブロック図である。
【図４】本実施形態においてシート取付具を使用して仕切板にシートを密閉状態に連結させる構造を示す斜視図である。
【図５】本実施形態において仕切板にシート取付具によってシートを連結する前後の状態を示す断面図である。
【図６】従来の仮設型冷房機を示す概観図である。
【図７】従来の大型冷房車を示す概観図である。
【符号の説明】
１　仮設テント用冷暖房装置
２　外部ユニット
２ａ　圧縮部
２ｂ　外部熱交換部
２ｃ　電源部
３　内部ユニット
３ａ　膨張部
３ｂ　内部熱交換部
３ｃ　吸気部
３ｄ　送風部
４　循環用パイプ
５　載置板
５ｒ　ユニット移動用レール
５ｓ　スライド台座
６　仕切板
６ａ　貫通孔
６ｂ　周縁部
７　カバー
８　係合部材
１０　焼却施設
１１　連結パイプ
１２　シート
１３　シート取付具
１４　狭持部
１５　スプリング係合部
１６　蝶着部
１７　ジグザグスプリング
Ｓ　仮設テント
【図１】
2004053158.tif 000003
【図２】
2004053158.tif 000004
【図３】
2004053158.tif 000005
【図４】
2004053158.tif 000006
【図５】
2004053158.tif 000007
【図６】
2004053158.tif 000008
【図７】
2004053158.tif 000009